(57)【要約】【課題】スラックスのヒップ部をすっきりと細く見えるように工夫したスラックスを提供する。【解決手段】このスラックス１０は、前身頃１２と、前記前身頃１２とウェストからヒップにかけて縫合された脇線１８を介して連結された後身頃１４とを備えた、スラックスにおいて、前記後身頃１４は、ウェスト部からヒップ部にかけてウェスト部からヒップ部に向かうに従って切り欠かれた傾斜端縁３０を有し、前記傾斜端縁３０は、斜線を形成し、前記前身頃１２の後身頃側端縁２０と前記後身頃１４の傾斜端縁３０との間において、前記前身頃１２の後身頃側端縁２０と前記後身頃１４の傾斜端縁３０との間よりやや大きな三角形状の錯視布４０が縫合され、前記前身頃の脇線１８及び／又は後身頃側端縁２０と後身頃の傾斜端縁３０とによりウェスト部からヒップ部にかけて徐々にその間隔が狭まって、錯視によってヒップが細く見えるように形成された、スラックスである。【選択図】図２
0003122107.tif 000002
【実用新案登録請求の範囲】
【請求項１】
前身頃と、前記前身頃とウェストからヒップにかけて縫合された脇線を介して連結された後身頃とを備えた、スラックスにおいて、
前記後身頃は、ウェスト部からヒップ部にかけてウェスト部からヒップ部に向かうに従って切り欠かれた傾斜端縁を有し、前記傾斜端縁は、斜線を形成し、
前記前身頃の後身頃側端縁と前記後身頃の傾斜端縁との間において、前記前身頃の後身頃側端縁と前記後身頃の傾斜端縁との間よりやや大きな三角形状の錯視布が縫合され、
前記前身頃の脇線及び／又は後身頃側端縁と後身頃の傾斜端縁とによりウェスト部からヒップ部にかけて徐々にその間隔が狭まって、錯視によってヒップが細く見えるように形成された、スラックス。
【請求項２】
前身頃と、前記前身頃とウェストからヒップにかけて縫合された縫合線を介して連結された後身頃とを備えた、スラックスにおいて、
前記後身頃は、ウェスト部からヒップ部にかけてウェスト部からヒップ部に向かうに従って切り欠かれた傾斜端縁を有し、前記傾斜端縁は、斜線を形成し、
前記前身頃の後身頃側端縁と前記後身頃の傾斜端縁との間において、前記前身頃の後身頃側端縁と前記後身頃の傾斜端縁との間よりやや大きな三角形状の錯視布が縫合され、
前記前身頃の縫合線及び／又は後身頃側端縁と後身頃の傾斜端縁とによりウェスト部からヒップ部にかけて徐々にその間隔が狭まって、錯視によってヒップが細く見えるように形成された、スラックス。
【請求項３】
前記前身頃の後身頃側端縁は、ウェスト部からヒップ部にかけて、ヒップ側に傾斜する直線状傾斜端縁により形成され、
前記後身頃の傾斜端縁は、ウェスト部からヒップ部にかけて腹部側に傾斜する直線状傾斜端縁により形成され、
前記前身頃の傾斜端縁と後身頃の傾斜端縁とは、離れていたウェスト部から接続したヒップ部にかけて底が尖った鋭いＶ字形の谷を形成した、請求項１又は２に記載のスラックス。
【請求項４】
前記脇線は、前身頃の後身頃側端縁に沿って形成された、請求項１ないし3のいずれかに記載のスラックス。
【考案の詳細な説明】
【技術分野】
【０００１】
この考案は、スラックスに関し、特にたとえば、ヒップ部をすっきりと細く見えるように工夫したスラックスに関する。
【背景技術】
【０００２】
従来のスラックスは、人の腹部から脚部の前部分を覆う前身頃と、人のウェスト部からヒップ部及び脚部の後側部分を覆う後身頃とを縫い合わせて形成される脇線が、ウェスト部からヒップ部にかけて垂直状に形成されている。
【考案の開示】
【考案が解決しようとする課題】
【０００３】
女性、特に若い女性は、少しでもヒップ部分をすっきりと細く見えるようにしたいという要望を持っているが、その要望にはあわないものであった。
【０００４】
それゆえに、この考案の主たる目的は、スラックスのヒップ部をすっきりと細く見えるように工夫したスラックスを提供することである。
【課題を解決するための手段】
【０００５】
この考案の請求項１にかかるスラックスは、前身頃と、前記前身頃とウェストからヒップにかけて縫合された脇線を介して連結された後身頃とを備えた、スラックスにおいて、前記後身頃は、ウェスト部からヒップ部にかけてウェスト部からヒップ部に向かうに従って切り欠かれた傾斜端縁を有し、前記傾斜端縁は、斜線を形成し、前記前身頃の後身頃側端縁と前記後身頃の傾斜端縁との間において、前記前身頃の後身頃側端縁と前記後身頃の傾斜端縁との間よりやや大きな三角形状の錯視布が縫合され、前記前身頃の脇線及び／又は後身頃側端縁と後身頃の傾斜端縁とによりウェスト部からヒップ部にかけて徐々にその間隔が狭まって、錯視によってヒップが細く見えるように形成された、スラックスである。
この考案の請求項２にかかるスラックスは、前身頃と、前記前身頃とウェストからヒップにかけて縫合された縫合線を介して連結された後身頃とを備えた、スラックスにおいて、前記後身頃は、ウェスト部からヒップ部にかけてウェスト部からヒップ部に向かうに従って切り欠かれた傾斜端縁を有し、前記傾斜端縁は、斜線を形成し、前記前身頃の後身頃側端縁と前記後身頃の傾斜端縁との間において、前記前身頃の後身頃側端縁と前記後身頃の傾斜端縁との間よりやや大きな三角形状の錯視布が縫合され、前記前身頃の縫合線及び／又は後身頃側端縁と後身頃の傾斜端縁とによりウェスト部からヒップ部にかけて徐々にその間隔が狭まって、錯視によってヒップが細く見えるように形成された、スラックスである。
この考案の請求項３にかかるスラックスは、前記前身頃の後身頃側端縁は、ウェスト部からヒップ部にかけて、ヒップ側に傾斜する直線状傾斜端縁により形成され、前記後身頃の傾斜端縁は、ウェスト部からヒップ部にかけて腹部側に傾斜する直線状傾斜端縁により形成され、前記前身頃の傾斜端縁と後身頃の傾斜端縁とは、離れていたウェスト部から接続したヒップ部にかけて底が尖った鋭いＶ字形の谷を形成した、請求項１又は２に記載のスラックスである。
この考案の請求項４にかかるスラックスは、前記脇線は、前身頃の後身頃側端縁に沿って形成された、請求項１ないし3のいずれかに記載のスラックスである。
【考案の効果】
【０００６】
この考案によれば、前身頃と、前記前身頃とウェストからヒップにかけて縫合された脇線を介して連結された後身頃とを備えた、スラックスにおいて、前記後身頃は、ウェスト部からヒップ部にかけてウェスト部からヒップ部に向かうに従って切り欠かれた傾斜端縁を有し、前記傾斜端縁は、斜線を形成し、前記前身頃の後身頃側端縁と前記後身頃の傾斜端縁との間において、前記前身頃の後身頃側端縁と前記後身頃の傾斜端縁との間よりやや大きな三角形状の錯視布が縫合され、前記前身頃の脇線及び／又は後身頃側端縁と後身頃の傾斜端縁とによりウェスト部からヒップ部にかけて徐々にその間隔が狭まって、錯視によってヒップが細く見えるように形成されているので、錯視により、スラックスのヒップ部分がすっきりと細く見える。
この考案によれば、前身頃と、前記前身頃とウェストからヒップにかけて縫合された縫合線を介して連結された後身頃とを備えた、スラックスにおいて、前記後身頃は、ウェスト部からヒップ部にかけてウェスト部からヒップ部に向かうに従って切り欠かれた傾斜端縁を有し、前記傾斜端縁は、斜線を形成し、前記前身頃の後身頃側端縁と前記後身頃の傾斜端縁との間において、前記前身頃の後身頃側端縁と前記後身頃の傾斜端縁との間よりやや大きな三角形状の錯視布が縫合され、前記前身頃の縫合線及び／又は後身頃側端縁と後身頃の傾斜端縁とによりウェスト部からヒップ部にかけて徐々にその間隔が狭まって、錯視によってヒップが細く見えるように形成されているので、錯視により、スラックスのヒップ部分がすっきりと細く見える。
請求項３の考案によれば、前記前身頃の後身頃側端縁は、ウェスト部からヒップ部にかけて、ヒップ側に傾斜する直線状傾斜端縁により形成され、前記後身頃の傾斜端縁は、ウェスト部からヒップ部にかけて腹部側に傾斜する直線状傾斜端縁により形成され、前記前身頃の傾斜端縁と後身頃の傾斜端縁とは、離れていたウェスト部から接続したヒップ部にかけて底が尖った鋭いＶ字形の谷を形成しているので、錯視により、スラックスのヒップ部分がすっきりと細く見える。
請求項４の考案によれば、前記脇線は、前身頃の後身頃側端縁に沿って形成されているので、錯視により、スラックスのヒップ部分がすっきりと細く見える。
【０００７】
この考案の上述の目的、その他の目的、特徴および利点は、図面を参照して行う以下の考案を実施するための最良の形態の説明から一層明らかとなろう。
【考案を実施するための最良の形態】
【０００８】
図１は、この考案の一実施の形態であるスラックスの分解斜視図である。
図２は、この考案にかかるスラックスの斜視図解図である。
【０００９】
このスラックス１０は、人の腹部から脚部の前部分を覆う前身頃１２と、人のウェスト部からヒップ部及び脚部の後側部分を覆う後身頃１４と前身頃１２及び後身頃１４の上部において縫合されたウェスト帯１６を備える。
前身頃１２は、ウェスト部から裾にかけて後身頃１４と縫合して形成された脇線１８を介して、後身頃１４と連結され、その上部においてウェスト帯１６と連結されている。
【００１０】
前記前身頃１２の後身頃側端縁２０は、ウェスト部２２からヒップ部２４にかけてヒップ側に傾斜する直線状傾斜端縁により形成されている。
【００１１】
前記後身頃１４は、ウェスト部３２からヒップ部３４にかけて、ウェスト部３２からヒップ部３４に向かうに従って切り欠かれた傾斜端縁３０が形成されている。
前記後身頃１４の傾斜端縁３０は、ウェスト部３２からヒップ部３４にかけて腹部側に傾斜する直線状傾斜端縁により形成されている。
【００１２】
前記前身頃１２の後身頃側端縁２０と後身頃１４の傾斜端縁３０との間において、前記前身頃１２の後身頃側端縁２０と後身頃１４の傾斜端縁３０との間よりやや大きな三角形状の錯視布４０が縫合されている。すなわち、前身頃１２を構成する布地と錯視布４０を構成する布地及び後身頃１４を構成する布地と錯視布４０を構成する布地を中表に合わせ、裏の方から２枚の布を一緒に縫い合わせている。
【００１３】
前身頃１２のヒップ部２４と錯視布４０の前身頃側端縁４２とを縫合して、前縫合線５０が形成され、また、後身頃１４の傾斜端縁３０と錯視布４０の後身頃側端縁４４とを縫合して、後縫合線５２が形成される。
【００１４】
前身頃１２の後身頃側端縁２０のウェスト部２２からヒップ部２４にかけての脇線１８及び前縫合線５０と後身頃１４の傾斜端縁３０のウェスト部２２からヒップ部２４にかけての後縫合線５２とは、ウェスト部３２からヒップ部３４にかけて徐々にその間隔は狭まって、底が尖った鋭いＶ字形の谷を形成するために、錯視によりヒップが細く見えるように形成されている。
【００１５】
したがって、前記前身頃１２の後身頃側端縁２０と後身頃１４の傾斜端縁３０とは、離れている前身頃１２のウェスト部２２及び後身頃１４のウェスト部３２から接続した前身頃１２のヒップ部２４及び後身頃１４のヒップ部３４にかけて底が尖った鋭いＶ字形の谷を形成しており、前身頃１２の後身頃側端縁２０及び脇線１８と後身頃１４の傾斜端縁３０とは、底が尖った鋭いＶ字形の谷を形成するために、錯視によってヒップ部分がすっきりと細く見える。
【図面の簡単な説明】
【００１６】
【図１】この考案の一実施の形態であるスラックスの分解斜視図である。
【図２】この考案にかかるスラックスの斜視図解図である。
【符号の説明】
【００１７】
１０  スラックス
１２  前身頃
１４  後身頃
１６  ウェスト帯
１８  脇線
２０  前身頃の後身頃側端縁
２２  ウェスト部
２４  ヒップ部
３０  傾斜端縁
３２  ウェスト部
３４  ヒップ部
４０  錯視布
４２  前身頃側端縁
４４  後身頃側端縁
５０  前縫合線
５２  後縫合線
【図１】
0003122107.tif 000003
【図２】
0003122107.tif 000004